(57)【要約】【課題】斜めに降り込む雨の進入を防止し、風は通す、網戸２用の通風雨よけ具1を提供すること。既存の網戸２に簡単に取付けできる雨よけ具の網戸取付具3、雨戸の鴨居の外側に簡単に取付けできる鴨居取付具5、雨戸の鴨居の外側に簡単に取付けできる鴨居取付補助具6及び庇の下面に簡単に取付けできる庇取付具8を提供することである。【解決手段】板状の基板12の下に、薄い、細長い板状の雨よけ片11を複数枚、ほぼ等間隔で、少なくとも2対の吊紐13により吊下げ、前記雨よけ片11の下に板状の重り15を前記吊紐13により取付ける。昇降紐14により雨よけ片11や重り15を格納・展開させてもよい。雨よけ片11の傾斜角度を調整可能にしても良い。  【選択図】図1
2005325585.tif 000002
【特許請求の範囲】
【請求項１】
板状の基板(12)の下に、
薄い板状の雨よけ片(11)を複数枚、ほぼ等間隔で、ほぼ水平に、少なくとも2対の吊紐(13)により吊下げ、
前記雨よけ片(11)の下に板状の重り(15)を前記吊紐(13)により取付けた網戸用通風雨よけ具。
【請求項２】
少なくとも2個の昇降紐孔(121)をあけた板状の基板(12)の下に、
薄い板状で、少なくとも２個の昇降紐孔(112)をあけた雨よけ片(11)を複数枚、ほぼ等間隔で、少なくとも2対の吊紐(13)により吊下げ、
前記雨よけ片(11)の下に板状の重り(15)を前記吊紐(13)により取付け、
この重り(15)に少なくとも2本の昇降紐(14)を取付け、前記雨よけ片(11)にあけた昇降紐孔(112)及び前記基板(12)にあけた昇降紐孔(121)に通し、
重り(15)の保持・解放手段を設けた網戸用通風雨よけ具。
【請求項３】
雨よけ片(11)の傾斜角を調整可能にした、請求項１又は請求項2に記載の網戸用通風雨よけ具。
【請求項４】
雨よけ片(11)の傾斜角の調整可能範囲を水平から垂直までとした、請求項3に記載の網戸用通風雨よけ具。
【請求項５】
板状の基板(12)の長手方向の同じ側に、少なくとも2個の網戸取付片(16)を設けた、請求項１から請求項４のいずれか１項に記載の網戸用通風雨よけ具。
【請求項６】
板状の基板(12)の長手方向の両側面に、各側面に少なくとも2個の網戸取付片(16)を設けた、請求項１から請求項４のいずれか１項に記載の網戸用通風雨よけ具。
【請求項７】
板状の基板(12)に、少なくとも2個の庇取付片(１7)を設けた、請求項１から請求項４のいずれか１項に記載の網戸用通風雨よけ具。
【請求項８】
横幅が網戸(2)の横幅よりも狭い、請求項１から請求項7のいずれか１項に記載の網戸用通風雨よけ具。
【請求項９】
一端に引掛部(31)を設け、他端に雨よけ具取付部(32)を設けた、網戸用通風雨よけ具の網戸取付具。
【請求項１０】
断面が逆L字型に折り曲げた形の水平部を荷重支持部(52)とし、垂直部(53)の外方に、雨よけ具取付部(51)を設け、前記垂直部(53)と雨戸の鴨居(４1)の外壁部(411)とを密着手段(54)により密着させる、網戸用通風雨よけ具の鴨居取付具。
【請求項１１】
断面が逆L字型に折り曲げた形の水平部を荷重支持部(62)とし、垂直部(63)の外方に受け片(61)を設け、前記垂直部(63)と鴨居(４1)の外壁部(411)とを密着手段(64)により密着させる、網戸用通風雨よけ具の鴨居取付補助具。
【請求項１２】
断面がコの字型の雨よけ具支持部(81)の両端に取付部(82)を設けた、網戸用通風雨よけ具の庇取付具。
【発明の詳細な説明】
【技術分野】
【０００１】
本発明は、網戸の外側に取付けて、雨の進入を防止し、風は通す網戸用通風雨よけ具、これを取付ける為の取付具及び取付補助具に関する。詳しくは、主として既存の網戸や雨戸をはめる鴨居の外側、庇の下面に取付ける網戸用通風雨よけ具に関する。勿論新規の網戸に初めから取付けるものでもよい。又、網戸用通風雨よけ具を網戸、雨戸の鴨居及び庇に取付ける為の取付具又、網戸用通風雨よけ具を雨戸の鴨居に取付ける取付補助具に関する。
【背景技術】
【０００２】
従来、網戸に取付ける通風雨よけ具として、よろい戸型雨戸に類似のものは、多数提案されているが、雨よけ片(羽根)が水平で固定されたものはなかった。雨よけ片は、１点を除いて、斜めに固定されている。
【０００３】
又、不要なときに羽根等を格納(雨よけ片や板状の重りを上に上げた状態にすることを格納、格納した雨よけ片等を下に下ろすことを展開という。)しておくものはなかった。
【０００４】
特許文献1のものは、枠材の室内側に網戸を取付け、網戸の外側に、各々ブラインド板を取付けた回転軸を所定間隔をおいて水平に枢支し、各回転軸に一列に固定した歯車にラックを噛合せしめ、該ラックをスライドさせることにより各ブラインド板を開閉せしめるようにしたブラインド付網戸である。各ブラインド板を開閉せしめることにより、室内への空気の流入を適宜加減すると共に、目隠しの役目を果たし、さらにブラインド板を雨戸と兼用することもできるものである。ブラインド板は、定位置で開閉し、上下に移動することはない。(空気の流入を加減し、且つ目隠しの役目を果たす。各ブラインド板は、水平にもなる。)その課題は、虫類の侵入を防止して室内への空気の流入を適宜加減すると共に、目隠しの役目を果たすことができ、更にブラインド板を雨戸と兼用させることもできる実用上きわめて便利なブラインド付網戸を提供することである。
【０００５】
特許文献2のものは、開閉可能の引き違いガラス戸とほぼ同大であって、網を矩形状の枠板内に張設されてなる網戸の外側に下向きに拡角する複数の傾斜板を前記網戸の枠板に固定してなるブラインド網戸である。その課題は、片側で開放された窓からの通風性、採光性を確保すると共に、外部からの透視性を防止し、合わせて部屋内に雨が吹き込まないようにしたブラインド網戸を提供するものである。下向きに拡角する多数の傾斜板を前記網戸の枠板に固定するもので、傾斜板は上下に移動することはない。(「傾斜板は固定式であるが、その傾斜角度を変えられるものであればなお便利である。」との記述はあるが、明細書及び図面のどこにも、傾斜角度変更の機構等具体的な記載はない。)
【０００６】
特許文献3のものは、薄い帯状の羽根を複数枚、外側を下にして一体成型プレスしたものを窓サッシ防虫網戸の室外側もしくは室内側に取付けた、窓サッシ防虫網戸用換気雨よけ両用レインバイザーである。その課題は、換気機能と降雨進入防止機能を合わせ持った窓サッシ網戸用雨よけ用品を開発しようとするものである。羽根は、一体成型プレスしたものであり、上下に移動することはない。(特許請求の範囲に「また各羽根は非可動だが可動もありうる。」との記述はあるが、明細書及び図面のどこにも、可動の機構等具体的な記載はない。各羽根の傾斜角は、固定と考えられる。)
【０００７】
特許文献4のものは、横長帯状の雨よけ材が2本以上上下に配列され、夫々の雨よけ材は下部が上側よりも外側に突出するように傾斜して枠材に取付けられた網戸用雨よけ具及びこの網戸用雨よけ具を取付けた網戸である。その課題は、雨天時に網戸を通して戸の開いている部分から室内に雨が吹き込み、屋内の床、壁、カーテンが濡れてしまうことを解決することである。雨よけ材は、上下に移動することはない。雨よけ材の傾斜角は、固定されている。
【０００８】
特許文献5のものは、ブラインドと雨よけを併用するため、雨水が降り込まない様にブラインドの羽根を逆「へ」の字の形状にし、ブラインド枠の中に、複数の羽根を上下に配列した、窓枠にはめ込む雨よけ兼用ブラインドである。その課題は、雨よけとブラインドを兼用し、既存のほとんどの窓枠に一切加工なしで取付けられ、既存のほとんどの網戸や雨戸が使え、取付け・取外しが簡単なものを提供することである。図面を見ると、羽根は斜めに配列され、視界の妨げになるのが分かる。羽根は上下しない。羽根の傾斜角度も固定である。
【０００９】
特許文献6のものは、網戸の外側に雨が降り込まないように窓の幅で角度を持った、雨よけの羽根数枚を、上から下に順に並べて取付けた機器である。その課題は、窓から雨が降り込まなくて風通しが良く、しかも部屋が暗くならないようにすることである。図面を見ると、雨よけの羽根は斜めに配列され、視界の妨げになるのが分かる。雨よけの羽根は、上下しないし、その角度も固定されている。
【００１０】
以上特許文献1から特許文献6までをまとめると、下記のようになる。
特許文献  雨よけ片の上下  雨よけ片の傾斜  雨よけ片が水平で固定  雨よけ片の名称
1          無              可動                無            ブラインド板
2          無            斜めで固定            無            傾斜板
3          無            斜めで固定            無            羽根
4          無            斜めで固定            無            雨よけ材
5          無            斜めで固定            無            羽根
6          無            斜めで固定            無            雨よけの羽根
雨よけ片の傾斜角が変えられるのは、特許文献１だけである。
【００１１】
【特許文献１】実開昭56-74197「ブラインド付網戸」
【特許文献２】実開平6-82394「ブラインド網戸」
【特許文献３】特開平9-25771「窓サッシ防虫網戸用換気雨よけ両用レインバイザー」
【特許文献４】特開平10-184246「網戸用雨よけ具とそれを取付けた網戸」
【特許文献５】実登3067055「窓枠にはめ込む雨よけ兼用ブラインド」
【特許文献６】特開2001-207746「網戸に付ける雨よけ機器」
【発明の開示】
【発明が解決しようとする課題】
【００１２】
従来の技術には、上記のように、雨よけ片が水平で固定されたものはなかった。上記背景技術で説明したように、雨よけ片が可動のものが１件あり、水平になる可能性はあるが固定されたものではない。固定されたものは、全て傾斜している。
【００１３】
雨よけ片、板状の重り等を格納・展開するものもなかった。
【００１４】
従来技術に共通していえるのは、よろい戸型の雨戸(雨戸がよろい戸になっているもの)によく似ていることである。よろい戸型の雨戸を網戸の外側に付けたようなものも多い。よろい戸に似ているので、雨よけ片(羽根)も斜めで固定されたものが多い。名称としては、ブラインドと称しているが、羽根は固定したままで、上下に動くものはなく、内容はよろい戸型の雨戸に近い。従来、風を通し、雨を遮るものとしては、古くからよろい戸が知られていた。よろい戸は、開き戸にも使われていた。最近は、雨戸にも一般化されており、雨を防ぎ、風を通し、泥棒除けにもなる便利なものである。
【００１５】
よろい戸の課題は、雨を遮り、風を通すことである。雨よけ具の課題と同じであり、従来の雨よけ具がよろい戸型の雨戸とよく似ているのは、両者の課題が共通しているからではないかと考えられる。
【００１６】
よろい戸型の雨戸によく似ているものには、上記特許文献2、特許文献3、特許文献4、特許文献5がある。特許文献6も雨よけの羽根が大きく、外観は少し異なるが、本質的には、よろい戸である。特許文献1もブラインド板が開閉可能である点を除けば、よろい戸と同じである。
【００１７】
従来の網戸用通風雨よけ具は、外部から室内をのぞかれるのを防止するものが多い。よろい戸型の雨戸の影響と考えられる。ブラインドの名をつけたものが多いことからも、ブラインドの目的の１つである目隠し機能を挙げたものと考えられる。
【００１８】
しかし、網戸は、外が良く見えた方が良い。むしろ外がよく見えることは、主要な要件である。理想は、ガラスのように無色透明である。網戸だけでも、少しかすんでいる。これに通風雨よけ具が加わり見通しが悪くなるので、通風雨よけ具はできるだけ、視界を遮らないものがよい。目隠し機能は、なくてよい。むしろ邪魔であり、ない方がよい。
【００１９】
又、本発明の構成は、結果的には窓用のブラインドのそれとよく似ている。ブラインドは、古くから知られており(少なくとも1960年には、広く普及していた。)、その課題は、光を遮り、風を通すことである。本発明の網戸用通風雨よけ具(以下、単に雨よけ具と略称する。)の主要課題は、雨を遮り、風を通すことである。
【００２０】
ブラインドは、古くから知られていたのに、その構成を雨よけ具に応用しようとする者が今までいなかったのは、上記にように、雨を遮り風を通すには、よろい戸との固定観念が強かった為ではないかと考えられる。上記のように、ブラインドと称しても内容はよろい戸であった。又、これだけ長い年月の間ブラインドの構成から雨よけ具を考え付いた者がいなかったということは、いわゆる「コロンブスの卵」と同じで、それだけ、ブラインドから「雨よけ具」を考え付くのは、容易ではなかったと言う証拠ではないかと考えられる。ブラインドの課題と本発明の課題とは、上記の通り、異なる。本発明が解決しようとする主要課題は、下記のように、雨は通さず、風は通すものであり、ブラインドの課題や従来の技術の課題とは全く異なる。
【００２１】
又、ブラインドと本発明とは課題が異なる為、一見同じように見える構成も細部を見ると、その構成に違いがある。即ち、ブラインドの羽根(光遮断の薄板)は、断面形状が円弧状であるが、その向き(方向)は、山が上向き(上に凸状)である。その理由は、ゴミがたまりにくくする為である。下向きにすると、谷部にゴミがたまる。ブラインドは、室内で使用するものであり、汚れが目立つ。又、掃除がしにくいものである。本発明の雨よけ具には、後記実施例7の中の(E)に雨よけ片11の断面形状が円弧状のものがあるが、その向きは、(やや傾斜しているが、)山が下向き(下に凸)である。雨滴が風に押されても、雨よけ片11を越えにくくする為である。屋外使用で、ゴミは風で飛ばされ易い。
【００２２】
更に、ブラインドの場合、羽根の傾斜角度を調整できる機能は、必須のものである。朝日、夕日は水平に近い。朝日はまだよいが、少し昇ると、まぶしいので、羽根を縦にして遮る。そのままにしておくと、自然光が入らず室内が暗いので、羽根の角度を太陽の位置に合わせて調整している。羽根を横にすると、斜めの日光は遮り、窓の外はよく見えるということもできる。そのほか夜は、外部からのぞかれないように、羽根を縦にしている。このように、羽根の角度調整は、頻繁に行っており、角度調整機能は、ブラインドの命ともいえる中心的機能といえる。
【００２３】
一方、本発明の雨よけ具の場合は、羽根に相当する雨よけ片11の傾斜角度調整機能は、なくてもよい。雨よけ片11を細長い平板状にし、間隔を雨よけ片11の幅と同じにした場合、雨よけ片11を水平にすると、理論的には４５度の雨まで進入を防止できることになる。幅を広くしたり、間隔を狭めたりすると、もっと低い角度の雨でも防げる。雨よけ片11が水平でも、軒や庇を長くしたのと同じ効果がある。水平で固定すると、雨よけ片11は薄いので、側面から見ると、線状になり、部屋の外がよく見える。網戸用の雨よけ具では、外がよく見えることは、重要な要素である。角度調整機能は、雨の進入角度に合わせて、遮る効果を高めるという言わば付録・おまけの機能である。角度調整機能は、必須のものではない。更に使い易くなるという追加的機能である。
【００２４】
本発明が解決しようとする課題は、これらの問題点を解決し、斜めに降った雨は通さず、風は通す雨よけ具を提供することである。又、必要のないときは、格納することのできる雨よけ具や網戸、雨戸の鴨居、庇に取付ける雨よけ具、横幅の狭い雨よけ具を提供することである。又、雨よけ具を網戸や雨戸の鴨居、庇に取付ける取付具や取付補助具を提供することである。
【課題を解決するための手段】
【００２５】
本発明は、複数の雨よけ片11を横にして平行に置き、斜めに振り込む雨を防ぎ、風は通す網戸用の通風雨よけ具である。
【００２６】
請求項１に係る網戸用通風雨よけ具は、板状の基板12の下に、薄い、細長い板状の雨よけ片11を複数枚、ほぼ等間隔で、ほぼ水平に、少なくとも2対の吊紐13により吊下げ、その下に板状の重り15を前記吊紐13により取付けたものである。雨よけ片11の板状は、平板状に限らず、断面形状は、滑らかに変化する曲線状の波型でも、直線状に変化するW字型でもよい。
【００２７】
ほぼ等間隔というのは、厳密に等間隔でなくても多少バラツキがあってもよいという意味である。間隔は、雨よけ片11の幅位でよい。間隔を小にすると、雨の進入角度が低くなっても入りにくくなる。反面枚数が多くなり、視界が悪くなる。間隔を大にすると、枚数が減り、視界は良くなるが、雨の進入防止角度は高くなる。
【００２８】
ほぼ水平というのは、厳密に水平でなくても多少バラツキがあってもよいということである。雨よけ片11は、薄いので、水平であると、横から見ると、線状に見え、視界がよい。
【００２９】
雨よけ片11の枚数は、雨よけ片11の間隔と雨よけ具１の高さとにより決まる。間隔は、通常幅位である。複数というのは、従って、2枚や３枚ではない。雨よけ具１の高さは、網戸2の高さに合わせる。又は、網戸2の高さ以上にする。不足すると雨が進入するが、余った分は雨よけ片11が重なるだけである。
【００３０】
雨よけ片11の厚さは、材料の腰の強さ、強度等による。薄い方が、視界の点、コスト面で有利である。透明の方が視界面でよい。特に雨よけ片11を斜めから見た場合に有利である。
【００３１】
雨よけ片11の材料は、屋外使用になるので、耐候性のよいものがよい。塗料等もこの点を注意する。金属では、アルミニウム、鉄、ステンレス等がよい。プラスチックでは、屋外用波板に使われている塩ビやポリカーボネート等がよいが、他のものでもよい。将来適した材料が開発されれば、それでもよい。
【００３２】
吊紐13は、雨よけ片11や板状の重り15を吊下げるもので、最低2対必要で、雨よけ片11等の長さが大になり、不安定になれば、増やせばよい。吊紐13と雨よけ片11との関係は、吊紐13を雨よけ片11に等間隔で結合してもよいし、１対の吊紐13の間に1本又は2本の保持紐131を等間隔にはしご状に設けて、雨よけ片11をその上に載せるか、その間に挿入してもよい。
【００３３】
板状の重り15は、雨よけ片11が風により動かされないようにするもので、安定材のようなものである。重さは、自ずと決まる。
【００３４】
使用中は、展開した状態である。格納状態は、在庫・流通時である。
【００３５】
請求項2に係る網戸用通風雨よけ具は、板状の基板12に少なくとも2個の昇降紐孔121をあけ、その下に少なくとも2個の昇降紐孔112をあけた薄い板状の雨よけ片11を複数枚ほぼ等間隔で、少なくとも2対の吊紐13により吊下げ、前記雨よけ片11の下に板状の重り15を前記吊紐13により取付け、この重り15に少なくとも2本の昇降紐14を取付け、前記雨よけ片11にあけた昇降紐孔112及び前記基板12にあけた昇降紐孔121に通し、雨よけ片11及び重り15の固定・解放手段を設けたものである。
【００３６】
請求項2に係る網戸用通風雨よけ具は、請求項1に係るものと異なり、雨よけ片11は、水平でも傾斜があってもよい。極端な場合、垂直でもよい。昇降紐孔112、121は、昇降紐14を通すため、それぞれ雨よけ片11及び基板12にあけた孔である。昇降紐14は、重り15を昇降させるものである。重り15が昇降すると、それにつれて、雨よけ片11も昇降する。雨よけ片11は、請求項１のものと同様平板状に限らない。
【００３７】
重り15の保持・解放手段は、基板12の両脇に設けた、内側に押されている保持片18により、重り15を保持・解放するものでもよいし、昇降紐保持・解放装置186や同187、188により、昇降紐14を保持・解放するものでもよい。前者は、格納状態で保持・解放される。後者は、格納状態の他に途中の状態でも保持・解放される。重り15を保持・解放することにより、雨よけ片11も一緒に保持・解放される。なお、保持とは、特定の状態に保つことをいう。具体的には、重り15を格納状態や中間段階(格納から展開の途中の状態)の状態に保つことである。解放とは、保持状態を解除することで、具体的には、重り15を自然落下に任せることをいう。
【００３８】
請求項3に係る網戸用通風雨よけ具は、雨よけ片11の傾斜角度を調整可能にした、請求項１又は請求項2に記載のものである。雨よけ片11の傾斜角度調整機構は、基板12に調整紐孔122をあけ、この中に傾斜調整紐19を通す。傾斜調整紐19は、吊紐13に結び、傾斜調整紐19を引くことにより、吊紐13を動かせて、雨よけ片11の傾斜角度を調整する。調整紐孔122の大きさは、傾斜調整紐19がやっと通る位で、力を加えると傾斜調整紐19が動き、力を加えないと、止まったままで、雨よけ片11や重り15の傾斜を保つようにする。なお、傾斜調整紐19により雨よけ片11の角度を変えると、連動軸192により各吊紐13が同じ量動き、雨よけ片11の傾斜角を揃えて保つ。
【００３９】
請求項4に係る網戸用通風雨よけ具は、雨よけ片11の傾斜角度の調整範囲を水平から垂直までとした請求項３に記載のものである。雨よけ片11の傾斜角度は、外側が下で水平と垂直との間にある。即ち、雨よけ片11の外側を最大限上げても水平であり、最大限下げても垂直である。雨よけ片11の外側が水平よりも上に上がると、斜めに降る雨が進入し易くなるので、好ましくない。最大限でも水平は、この危険性が少ない。調整するとき、楽である。傾斜角度調整範囲は、傾斜調整紐19に付けるコブ191の位置により調整する。
【００４０】
請求項5に係る網戸用通風雨よけ具は、板状の基板12の長手方向のいずれか一方の同じ側に、少なくとも2個の網戸取付片16を設けた、請求項１から請求項４のいずれか１項に記載のもので、網戸2、雨戸4の鴨居41に直接又は、後記取付補助具6を介して、取付けるものである。網戸取付片16は、フック状で、断面が薄いコの字型や薄い逆Uの字型をしていて、網戸2の横枠22の溝221の外側壁や取付補助具6の受け片61に引掛けるものである。
【００４１】
請求項6に係る網戸用通風雨よけ具は、基板12の長手方向の両側面に、各側面に少なくとも2個の網戸取付片16を設けた、請求項１から請求項４のいずれか１項に記載のものである。請求項5に係る網戸用通風雨よけ具に付いている網戸取付片16が基板12の両側面に付いているもので、使用方法等は請求項５のものと同じである。昇降紐14や傾斜調整紐19の位置で雨よけ具１に方向性が付いた場合に、都合のよい側を選べるようにしたものである。
【００４２】
請求項7に係る網戸用通風雨よけ具は、板状の基板12に、少なくとも2個の庇取付片17を設けた、請求項１から請求項４のいずれか１項に記載のもので、庇7の下面に取付けるものである。庇取付片17は、ネジ孔171をあけた板状物で、基板12の両端部に付ける。長手方向に平行に即ち、幅が変わらない状態で付けてもよいし、長手方向に直角に即ち、H型を横に長く伸ばしたような形にしてもよい。
【００４３】
請求項8に係る網戸用通風雨よけ具は、横幅が網戸2の横幅よりも狭い、請求項１から請求項7のいずれか１項に記載のもので、窓を全開でない状態で使用するものである。
【００４４】
請求項9に係る網戸用通風雨よけ具の網戸取付具は、一端にフック状の引掛部31を設け、他端に雨よけ具取付部32を設けたもので、網戸2に雨よけ具1を取付けるためのものである。詳しくは、網戸2の横枠22に形成された溝221の外側の壁に、断面が薄い逆U字型の引掛部31をはめて取付ける。断面がコの字型の雨よけ具取付部32には、雨よけ具1の基板12を挿入する。雨よけ具取付部32は、基板12の幅と同じにして、基板12がピッタリはまるものにしてもよいし、少し余裕を持たせて、ネジ321等の締付具を付けてもよい。雨よけ具取付部32は、上に開いたものでも、下に開いたものでもよい。基板12の断面形状は、長方形だけでなく、コの字型の両端を内側に折り曲げたものもある。これに対応した網戸取付具は、図9の(E)に示すように、雨よけ具取付部32は、基板12の内側に折り曲げた部分にかみ合うものでもよい。引掛部31は、基板12の外壁とで構成する。
【００４５】
請求項10に係る網戸用通風雨よけ具の鴨居取付具は、断面が逆L字型の水平部を荷重支持部52とし、垂直部53の外方に、雨よけ具取付部51を設け、前記垂直部53と雨戸4の鴨居４1の外壁部411とを密着手段により密着させるもので、雨戸4の鴨居41に雨よけ具１を取付けるためのものである。雨よけ具取付部51は、雨よけ具1を取付けるもので、基板12をはめる。雨よけ具取付部51は、上向きでも下向きでもよい。密着手段は、断面が薄いU字型をした合せ片54をはめてもよいし、垂直部53の下端を内側(荷重支持部52のある側)に折り曲げた折曲部55をはめるものでもよい。又は、粘着剤541や接着剤でもよい。
【００４６】
請求項11に係る網戸用通風雨よけ具の鴨居取付補助具は、断面が逆L字型の水平部を荷重支持部62とし、垂直部63の外方に、断面が薄いU字型をした受け片61を設け、垂直部63と鴨居４1の外壁部411とを密着手段により密着させるもので,前記受け片61に、請求項5に記載の網戸取付片16が付いた雨よけ具１や請求項9に記載の網戸取付具3をはめて、取付ける。網戸取付片16が付いてない雨よけ具1を直接取付けるものではないので、補助具とした。密着手段は、請求項10に係る網戸用通風雨よけ具の鴨居取付具で説明したものと同じである。
【００４７】
請求項12に係る網戸用通風雨よけ具の庇取付具は、断面がコの字型の雨よけ具支持部81とその両端に付けた、ネジ孔821をあけた取付部82とで構成されたもので、雨よけ具1を庇7の下面に取付けるためのものである。雨よけ具支持部81は、雨よけ具1の基板12を支持し、取付部82は、ネジにより庇7の下面に取付ける。雨よけ具支持部81と取付部82とを備えておれば、他の形状にしてもよい。例えば、断面がコの字型の雨よけ具支持部81を2つに分けてL字型にし、基板12の側面を両側から挟んで支持するものでもよい。庇7の他に、軒の下面に取付けてもよい。
【発明の効果】
【００４８】
請求項１の発明は、斜めに降る雨の進入を防ぎ、風は通すという効果がある。雨よけ片11が薄く、ほぼ水平なので、部屋の外がよく見えるという効果がある。又、構造が簡単で、安価に製造できるという効果がある。
【００４９】
請求項2の発明は、斜めに降る雨の進入を防ぎ、風は通すという効果がある。雨よけ片11や板状の重り15を格納・展開でき、必要なとき(降雨時)に展開し、不要なときには格納できるので、邪魔にならないという効果がある。又、雨よけ片11の傾斜角度は、調整できず、固定ではあるが、水平だけではないので、低い角度で降り込む雨に対応できる場合もあるという効果がある。
【００５０】
請求項3の発明は、斜めに降る雨の進入を防ぎ、風は通すという効果がある。又、雨よけ片11の傾斜角度を調整できるので、雨の降り込む角度に応じて、傾斜を調整できる。即ち、風が強く、低い角度で降り込む雨には、雨よけ片11を縦(垂直)に近づけて防ぎ、垂直に近い雨では横(水平)に近づけ、外がよく見えるようにできるという効果がある。
【００５１】
請求項4の発明は、斜めに降る雨の進入を防ぎ、風は通すという効果がある。又、雨よけ片11の傾斜角度の調整範囲が水平から垂直までに限定されているので、雨よけ片11の外側が水平以上に上がることがなく、調整がし易いという効果がある。
【００５２】
請求項5の発明は、斜めに降る雨の進入を防ぎ、風は通すという効果がある。基板12の長手方向の同じ側に、初めから少なくとも2個の網戸取付片16が付いているので、そのまま網戸2に雨よけ具1を取付けできるという効果がある。又、雨戸4の鴨居41にも鴨居取付補助具6を使用すると、そのまま簡単に取付けできるという効果がある。
【００５３】
請求項6の発明は、斜めに降る雨の進入を防ぎ、風は通すという効果がある。基板12の長手方向の両側に、それそれ少なくとも2個の網戸取付片16が付いているので、昇降紐14や傾斜調整紐19が使い易い方向を選べるという効果がある。
【００５４】
請求項7の発明は、斜めに降る雨の進入を防ぎ、風は通すという効果がある。庇取付片17が初めから付いているので、そのままで庇7の下面に取付けできるという効果がある。
【００５５】
請求項8の発明は、斜めに降る雨の進入を防ぎ、風は通すという効果がある。雨よけ具1の横幅が網戸2の横幅よりも狭いので、降雨時に窓を全開しない場合、特に、風が強く、窓を少ししか開けないときなどに有利である。雨のときは、窓を少ししか開けないことが多く、実質的な商品になる。横幅が狭いので、展開時も雨よけ具1のない部分が広く、窓の外がよく見え、製造コストも安いという効果がある。
【００５６】
請求項9の発明は、雨よけ具1に簡単に取付けできて、これを既存の網戸2に簡単に取付けでるという効果がある。又、鴨居取付補助具6と併用すれば、雨戸４の鴨居41にも取付けできるという効果がある。
【００５７】
請求項10の発明は、雨よけ具1に簡単に取付けできて、これを雨戸4の鴨居41の外側に簡単に取付けできるという効果がある。又は、逆に雨戸４の鴨居41に、この発明の鴨居取付具を取付けておき、ここに雨よけ具１を取付けることもできるという効果がある。雨戸４の鴨居41に取付けできることにより、雨戸４のある場合にも使用可能になり、雨よけ具１の利用範囲が広がるという効果がある。
【００５８】
請求項11の発明は、雨戸4の鴨居41の外側に簡単に取付けできて、網戸2の横枠22上部の溝221と同様になり、網戸取付片16付き雨よけ具1や引掛部31付きの網戸取付具3が取付けできるという効果がある。
【００５９】
請求項12の発明は、雨よけ具1に簡単に取付けできて、これを庇7の下面に簡単に取付できるという効果がある。
【発明を実施するための最良の形態】
【００６０】
複数個の雨よけ片11をほぼ等間隔で上下に並べて、斜めに降る雨を防ぎ、風を通すようにした。
【実施例１】
【００６１】
実施例１を図1に基づいて説明する。図1の(A)は実施例１の雨よけ具１の使用状態を示す斜視図、(B)は既存の網戸2に網戸取付具３を取付けた状態を示す斜視図、(C)は網戸取付具3を示す斜視図、(D)は実施例１の雨よけ具１を示す斜視図、(E)は(D)の側面図、(F)は雨よけ片11を吊紐13により吊下げた状態を示す部分斜視図、(G)は実施例１の雨よけ具１に網戸取付具３を取付けた状態を示す部分斜視図、(H)は(G)の要部側面図、(I)は網戸2に実施例１の雨よけ具１を網戸取付具３により取付けた状態(即ち(A))を示す部分側面図である。
【００６２】
(A)に示すように、既存の網戸2の外側に実施例１の雨よけ具１を網戸取付具３により取付ける。(B)に示すように、網戸取付具３は、網戸2の横枠22の断面がU字型の溝の外側壁(現在一般に使用されている網戸を観察すると、1mm位の薄い板状である。)に引掛部31をはめる。この網戸取付具３雨よけ具取付部32に雨よけ具１の基板12を取付ける。逆に、(G)、(H)に示すように、雨よけ具１に予め、網戸取付具３を取付けておいて、(A)、(I)に示すように、網戸2の上部の溝の外側壁に取付けてもよい。(C)に示すように、網戸取付具３は、雨よけ具１の基板12が丁度はまる、断面がコの字型の雨よけ具取付部32と断面が薄い逆U字型の引掛部31とで構成される。
【００６３】
(D)、(E)に示すように、雨よけ具１は，板状の基板12の下に薄い板状の雨よけ片11を複数枚ほぼ水平にほぼ等間隔で吊紐13により上下に取付ける。雨よけ片11の下には、板状の重り15を前記吊紐13により取付ける。雨よけ片11の間隔は、雨よけ片11の幅とほぼ同じにする。４５度の斜めの雨まで、理論上進入を防止できる。雨よけ片11の枚数は、雨よけ具１の高さと雨よけ片11の幅とで決まる。この間隔は、もっと短くしてもよい。より低い雨の進入防止ができる。反面、室内から外を見たときの視界は、やや悪くなる。又は、逆に雨よけ片11の間隔は、もっと長くしてもよい。重り15は、雨よけ具１が風により動くのを防止する働きをする。
【００６４】
(F)に示すように、雨よけ片11には、吊紐13を通す吊紐孔111を設け、ここに吊紐13を通して結び、固定する。
【００６５】
雨よけ片11は、薄く、水平に並んでいるので、視界を遮るものが少なく、室内から外部がよく見える。雨よけ片11の幅を広くすると、枚数は少なくできるので、視界はよくなる。斜めに降り込む雨の角度をもっと垂直近くにしてもよいなら、同じ幅でも枚数を減らせる。無色透明又は、淡色透明にすると、視界がよくなる。
【００６６】
雨よけ片11の材質は、薄くしても強度があり、耐候性のあるものがよい。アルミニウム、鉄、ステンレス等の金属やプラスチックでは、現在屋外用プラスチック波板に使用されているポリカーボネ−トや塩ビ等がよいが、他のものでもよい。将来もっとよい材料が開発されれば、それを用いてもよい。
【００６７】
使い方は、(G)に示すように、基板12の下側に網戸取付具３をはめ、網戸取付具３の引掛部31を網戸2の横枠22の溝の外側壁に掛けて取付ける。又は、逆に(B)に示すように、網戸2の横枠22の上部溝の外側壁に網戸取付具３を取付けておき、雨よけ具取付部32に基板12をはめてもよい。斜めに降込む雨の進入は防ぎ、風は通す。
【００６８】
実施例１の雨よけ具１は、既存の網戸2に簡単に取付けでき、斜めに降り込む雨の進入を防止し、風は通すという雨よけ具本来の効果の他に、外部がよく見え、構造が簡単で安価に作られるという効果がある。
【実施例２】
【００６９】
実施例2を図2に基づいて説明する。図2の(A)は実施例2の雨よけ具１を示す斜視図、(B)は(A)の側面図、(C)は網戸2に取付けた実施例2の雨よけ具１を示す部分側面図である。
【００７０】
実施例2の雨よけ具は、(A)、(B)に示すように、実施例１のものの板状の基板12の内側に2個の網戸取付片16を設けたものである。(A)は、網戸取付片16が分かり易いように、図1とは内、外を逆にしている。網戸取付片16は、断面が薄い逆U字型の引掛型取付片で、(C)に示すように、網戸2の横枠22に形成された溝の外側壁上端に掛けて、取付ける。網戸取付片16の先端は、少し広げてもよい。このようにすると、網戸2の溝の上端に掛け易い。網戸取付片16の幅(内法)は、網戸2の溝の外側壁の幅(厚み)に合わせる。厚みに合わせておけば、雨よけ具1が横方向に移動しない。又は、やや薄めにしておき、材料の弾性により広げてもよい。その他は、実施例１のものと同じである。 
【００７１】
網戸取付片16の取付位置は、網戸2の横枠22の長さに合わせておくと、移動しなくてよい。網戸2の縦枠23と横枠22とには、少し段差がある。
【００７２】
使い方は、網戸2の横枠22に形成された溝の外側壁に網戸取付片16を掛けて、雨よけ具１を取付ける。
【００７３】
実施例2の雨よけ具１は、実施例１のものの効果の他に、網戸取付具３がなくても単独で、既存の網戸2に簡単に取付けられるという効果がある。
【実施例３】
【００７４】
実施例3を図3に基づいて説明する。図3の(A)は実施例3の雨よけ具１を示す斜視図、(B)は(A)の側面図、(C)は庇7に取付けた実施例3の雨よけ具１を示す側面図、(D)は実施例３の他の例を示す平面図、(E)は実施例３の別の例を示す斜視図である。
【００７５】
実施例3の雨よけ具は、基板12に(A)に示すように、実施例1のものの板状の基板12の両端にそれぞれ1個の庇取付片17を設け、雨よけ片11の傾斜角(方向)を水平から外側を下にした斜めに変えたものである。庇取付片17は、薄い板状片に庇7の下面にネジ止めするためのネジ孔171をあけたものである。基板12と同じ幅にしているが、他の形状、大きさにしてもよい。(C)に示すように、窓の上にある庇7の下面に庇取付片17をネジ止めして、雨よけ具１を取付ける。引戸49の外側に網戸2があるので、網戸2の外側に雨よけ具１が来る(位置する)ように取付ける。その他は、実施例2のものと同じである。(D)に示すように、基板12の両端部の両脇(図面では上下)に庇取付片17を設けてもよい。(E)に示すように、基板12の両端に庇取付片17を設けた上に、側面に網戸取付片16を2個設けてもよい。
【００７６】
使い方は、網戸2の少し外側に雨よけ具１が来るように、庇7の下面に基板12を当て、庇下面取付片17のネジ孔171を利用してネジ止めして、取付ける。(E)のものは、網戸2と庇7との両方に取付けできる。
【００７７】
実施例3の雨よけ具１は、実施例2のものの効果の他に、雨よけ片11が外側を下にして斜めになっているので、低い角度の雨の進入を防ぎ、庇7の下面に簡単に取付けられるという効果がある。網戸取付片16も取付けたものは、庇7下面の他に網戸2にもそのまま取付できるという効果がある。
【実施例４】
【００７８】
実施例4を図4に基づいて説明する。図4の(A)は実施例4の雨よけ具１を展開した所を示す斜視図、(B)は(A)の正面図、(C)は(A)の側面図、(D)は実施例4の雨よけ片11を示す部分斜視図、(E)は実施例4の雨よけ具１を格納した所を示す正面図、(F)は(E)の側面図である。
【００７９】
実施例４の雨よけ具１は、実施例１の雨よけ具１を格納・展開できるようにし(A)に示すように、基板12の両側面に、網戸取付片16をそれぞれ2個取付けたものである。(B)に示すように、板状の基板12の両端に、バネ182により内側に押された保持片18を設ける。基板12の下に薄い板状の雨よけ片11を複数枚、ほぼ等間隔で、ほぼ水平に吊紐13により上下に取付け、その下に板状の重り15を前記吊紐13により取付ける。重り15には、少なくとも2本の昇降紐14を付け、雨よけ片11にあけた昇降紐孔112に順次通し、更に、基板12にあけた昇降紐孔121に通し、基板12の上部に沿わせ、片方の保持片18に付けた輪181に通す。2つの保持片18は、連動紐183により結合されている。連動紐183は、支点棒184を通っているので、輪181を横に引くと、両方の保持片18は開く。
【００８０】
(D)に示すように、雨よけ片11には、吊紐孔111をあけ、吊紐13を結び、昇降紐孔112をあけ、昇降紐14を通す。
【００８１】
使い方は、実施例2と同様、網戸取付片16により網戸2に取付ける。昇降紐14を引くと、重り15が引上げられ、雨よけ片11も一緒に引上げられる。重り15が保持片18に当ると、保持片18は傾斜が付いているので開き、重り15が上に入ると、保持片18はバネ182により閉まり、格納される。展開するときは、昇降紐14を横に引くと、輪181により両方の保持片18が開くので、重り15、雨よけ片11が降下して、展開する。なお、(A)に示すように、網戸取付片16が基板12の両側面に付いているので、昇降紐14が使い易いように、左右どちら側でも網戸2に取付けられる。
【００８２】
実施例４の雨よけ具は、実施例2のものの効果の他に、格納・展開機能があるので、雨の降らないときには、簡単に格納することができ、視界の邪魔にならない。又、必要なときには、簡単に展開でき、通風雨よけになるという効果がある。昇降紐14の端末も使い易い側に選ぶことができる。
【実施例５】
【００８３】
実施例5を図5に基づいて説明する。図5の(A)は実施例5の雨よけ具１を展開した所を示す正面図、(B)は(A)の一部省略側面図、(C)は(B)の傾斜角度を変えた所を示す一部省略側面図、(D)は(B)の格納した所を示す一部省略側面図、(E)は雨よけ片11の平面図、(F)は挿入孔123を設けた基板12を示す斜視図、(G)は(F)のA-A線断面斜視図、(H)は網戸取付具３を示す斜視図、(I)は基板12の挿入孔123に網戸取付具３をはめた所を示す部分斜視図、(J)は他の挿入孔123を設けた基板12を示す斜視図、 (K)は(J)に対応した網戸取付具3を示す斜視図、(L)は昇降紐14の端末処理を説明する説明図である。
【００８４】
実施例5の雨よけ具１は、実施例4の雨よけ具１の雨よけ片11の傾斜角度を調整可能にし、雨よけ片11の断面形状を変え、雨よけ片11の固定方法を変え、重り15の格納機構を変え、保持片18の開閉機構を少し変え、網戸取付片16を取替式の網戸取付具３に変えて、昇降紐14の端末の位置を選べるようにし、昇降紐14の端末に昇降紐止具141を設けたものである。
【００８５】
(A)に示すように、板状の基板12の両端に、保持片18を設ける。バネ182の代りに、材料の弾性を利用している。昇降紐14により輪181を左に引くと、反対側の保持具18が右に引かれるようにするため、引張棒185を設け、その先端に連動紐183を結合する。保持片18の先端は、L字型に曲げただけである。重り15の側面形状を台形にしているので、格納時に重り15が保持片18に当ると、保持片18は左右に押し広げられ、重り15が上に入ると、弾性により保持片18は元に閉まり、格納される。2本の昇降紐の先端部はまとめて、吸盤を利用した昇降紐止具141を付ける。格納時は、昇降紐14が長くなるので、網戸2の縦枠23の適当な所へ仮止めする。昇降紐止具141は、吸盤の他に面ファスナーや磁石等を利用してもよい。
【００８６】
(B)に示すように、基板12に調整紐孔122を設け、この中に傾斜調整紐19を通す。基板12の下には、少なくとも2対の吊紐13を下げ、吊紐13には、はしご状に2本ずつの保持紐131を付ける。横に2本並んだ保持紐131の間に断面が波状の雨よけ片11を挿入する。前記傾斜調整紐19は、内側の吊紐13と最上段の保持紐131との結合部に結び、コブ191を付ける。基板12の上に出た傾斜調整紐19にもコブ191を付ける。
【００８７】
(C)に示すように、基板12の上に出た傾斜調整紐19を下に引くと、結び付けた保持紐131の内側端は、上に引上げられ、保持紐131は斜めになる。コブ191の為、傾斜調整紐19は、これ以上進めない。反対の傾斜調整紐19を下に引くと、保持紐131は段々水平に近づく。基板12の上にコブ191があるので、保持紐131の内側は、最大限下がっても水平であり、雨よけ片11の内側が下になることはなく、雨が通り易くなることはない。 なお、(C)は一部を省略した要部のみの側面図である。
【００８８】
格納すると、(D)のようになる。(E)に示すように、雨よけ片11には2個の昇降紐孔112をあける。保持紐131の間に挿入した雨よけ片11の昇降紐孔112に昇降紐14を通す。従って、雨よけ片11が長手方向に移動することはない。なお、保持紐131は、１本にして、その上に雨よけ片11を載せてもよい。重力により、雨よけ片11は、保持紐131と吊紐13との交点より下方には行かない。
【００８９】
雨よけ片11は、断面形状が波状になっているので、強度が向上し、雨滴が通りにくくなる。特に雨よけ片11を斜めにした場合は、顕著になる。
【００９０】
(F)~(I)に示すように、基板12には、両側面近くに挿入孔123を設け、ここに網戸取付具３の基板挿入片33をはめ、外側に出た引掛部31を網戸2に掛けて取付ける。網戸取付具３は、基板12のどちら側の側面にも付けられる。
【００９１】
(J)に示すように、基板12の両端近くに、円筒状の挿入孔123を設ける。(K)に示すのは、他の網戸取付具３で、円柱状の基板挿入片33と断面が逆U字型の引掛部31とを設ける。基板12の挿入孔123に基板挿入片３３を挿入して、網戸取付具3を取付ける。網戸取付具３は、反対方向にも取付けできる。
【００９２】
(L)に示すように、2本の昇降紐14は、中央に一旦集められ、それから左右どちらか好みの方へ持って行けるようになっている。その他は、実施例４のものと同じである。
【００９３】
使い方は、基板12の挿入孔123に網戸取付具３の基板挿入片33をはめ、引掛部31を網戸2の横枠22の上部に形成された溝の外側壁に掛けて、取付ける。
【００９４】
実施例５の雨よけ具は、必要に応じて、簡単に格納・展開ができる。保持片18の弾力に材料の弾性を利用し、バネ182を外したので、コストダウンになる。雨よけ片11の傾斜角度の調整ができるので,雨の降り込み角度に応じて、雨よけ片11の傾斜角度を調整できる効果がある。雨よけ片11の断面形状を波型にしたので、強度が向上し、雨が通りにくくなる。雨よけ片11の取付けが容易で、製造コストが安くなる。網戸取付具３は、基板12のどちら側の側面にでも取付け可能なので、仮に昇降紐14の端末が移動できなくても、同端末を好みの方へ持ってくることができる。又、昇降紐14の端末を使い易い方に持ってくることができ、昇降紐止具141により、格納時でも長い昇降紐14が風で動くことがないという効果がある。
【実施例６】
【００９５】
実施例6を図6に基づいて説明する。図6の(A)は実施例6の雨よけ具１を展開した所を示す正面図、(B)は(A)の昇降紐保持・解放機構を説明する説明図、(C)は基板12の断面図、 (D)は傾斜調整紐19 を説明する要部側面図、(E)は傾斜角度を変えた所を示す側面図、(F)は格納した状態を示す側面図である。
【００９６】
実施例6の雨よけ具１は、実施例5の雨よけ具１の格納手段を重り15と保持片18との組合せから昇降紐14保持方式に変え、傾斜調整紐19の取付を一部変えたものである。(A)に示すように、板状の基板12を厚くして、中に昇降紐保持・解放装置186等を組み込む。
【００９７】
(B)に示すように、昇降紐保持・解放装置186は、固定片186aと押え片186bとにより昇降紐14を挟み、昇降紐14を保持・解放する。押え片186bは、圧迫片186cを介してバネ182により押されている。昇降紐14は、重り15により下に引かれているが、2度直角に曲げられて、ここでは上に引かれている。固定片186aは固定されていて、昇降紐14に接する側は滑り止めのギザギザが付けてある。押え片186b  は、上が尖った三角形で、昇降紐14に接する側は、滑り止めのギザギザが付けてある。圧迫片186cが斜めに設けてあり、背面からバネ182により押されているので、押え片186bは昇降紐14に接して、上に引かれても、上に行けず、昇降紐14を押し付けることになり、昇降紐14は停止される。雨よけ片11や重り15も停止される。昇降紐14を一杯に引いた状態であれば、格納された状態になる。
【００９８】
展開するときは、昇降紐14を左に引くと、輪181が左に引かれ、連結紐186dは方向を変え、圧迫片186cを引くので、押え片186bは落下して、昇降紐14は解放され、展開される。圧迫片186cの下部には受け片186eが設けてあるので、押え片186bはここに留まる。
【００９９】
(C)に示すように、基板12の厚さを厚くし、金属板等で作り、中空にして、中に吊紐連動装置を組み込む。複数の吊紐13がどれも同じ角度分を動くようにするもので、連動軸192に複数の円板193を付け、吊紐13を掛ける。突起に掛けて、スリップを防止する。
【０１００】
(D)に示すように、基板12に調整紐孔121を2本あけ、傾斜調整紐19を通す。傾斜調整紐19は、吊紐13と保持紐131との内側結合点に結び、コブ191を付ける。他の調整紐孔121に通した傾斜調整紐19は、基板12のすぐ下でコブ191を付ける。実施例6の保持紐131は、各１本で、この上に雨よけ片11を載せる。傾斜調整紐19を引いて、保持紐131の傾斜角度を変えるのは、実施例５と同じである。
【０１０１】
(E)に示すように、外側の傾斜調整紐19を引くと、内側の傾斜調整紐19は上がり、コブ191が基板12に当って止まり、保持紐131は斜めになる。途中で止めれば、ゆるい傾斜になる。傾斜調整紐19を逆に引けば、保持紐131は水平になる。コブ191があるので、水平以上にはならない。保持紐131の上に載せる雨よけ片11は、断面が変形L字型で、薄い板状の一端が直角に狭い幅で折れ曲ったものである。角度は鈍角でもよい。
【０１０２】
(F)に示すように、昇降紐14を引くと、雨よけ片11重なり合って、格納される。
【０１０３】
(G)、(H)、(I)は、断面形状を変えた雨よけ片11を示す。(G)はV字型にゆるく折り曲げたもの、(H)は更にもう１回折り曲げたもの、(I)は山谷型に折り曲げを繰り返したものである。
【０１０４】
使い方は、実施例１で説明した網戸取付具３を用いて、網戸2に取付ける。その他は、実施例５のものと同じである。
【０１０５】
実施例6の雨よけ具は、実施例５のものの効果の他に、昇降紐14を保持・解放できるので、格納・展開の他に、雨よけ片11や重り15を格納・展開の途中の任意の段階で停止することができ、日よけのブラインドの働きも兼用できるという効果がある。
【実施例７】
【０１０６】
実施例7を図7に基づいて説明する。図7の(A)は実施例7の雨よけ具１を展開した状態を示す正面図、(B)は(A)の昇降紐保持・解放機構で実施例6とは別のものを説明する説明図、(C)は傾斜調整紐19 を説明する要部側面図、 (D)は市販の窓用ブラインドに使用されている昇降紐保持・解放機構を参考に説明する説明図、(E)、(F)、(G)、(H)は雨よけ片11の断面形状を示す側面図である。
【０１０７】
実施例7の雨よけ具１は、実施例6の雨よけ具１の格納手段を別のものに変え、傾斜調整紐19の取付を一部変え、雨よけ片11の断面形状を変えたものである。(A)に示すように、板状の基板12を厚くして、中に昇降紐保持・解放装置187や吊紐連動装置を組み込む。
【０１０８】
(B)に示すように、昇降紐14を挟んで、固定片187aを右側に置き、バネ182で押えた押え片187bを左側に置く。押え片187bの下には輪181を設け、昇降紐14を通す。昇降紐14を左に引くと、輪181により押え片187bは左に寄せられ、昇降紐14は解放される。解放時に昇降紐14を操作して、重り15の位置を決める。昇降紐14を離すと、バネ182により押え片187bが昇降紐14を押えるので、保持される。
【０１０９】
(C)に示すように、基板12の外側に調整紐孔121をあけ、傾斜調整紐19を通す。傾斜調整紐19は、吊紐13と保持紐131との外側結合点に結び、コブ191を付ける。基板12を通した傾斜調整紐19は、基板12のすぐ上でコブ191を付ける。傾斜調整紐19を引いて、保持紐131の傾斜角度を変えるのは、実施例５と同じである。
【０１１０】
(D)に示すように、昇降紐保持・解放装置188は、窓用ブラインドに用いられているものであるが、回転リング188aと可動歯車188bとにより昇降紐14を挟み、昇降紐14を保持・解放する。昇降紐14は、重り15により下に引かれているが、2度直角に曲げられて、ここでは上に引かれている。回転リング188aは、軸は固定されていて、回転(左右に回転)は自由である。昇降紐14に接する側は、平らでも、滑り止めのギザギザを付けてもよい。可動歯車188bは、自由に動け、昇降紐14に接する表面は、滑り止めのギザギザが付けてある。落下防止片188cが下に設けてあり、これから下には、可動歯車188b は落下しない。可動歯車188bは、昇降紐14に接して、上に引かれて、上に上がり、昇降紐14を挟んで、回転リング188aを圧迫することになり、昇降紐14は停止される。雨よけ片11や重り15も停止される。昇降紐14を一杯に引いた状態であれば、格納された状態になる。
【０１１１】
展開するときは、昇降紐14を下に引くと、可動歯車188bが下に落ち、落下防止片188c上に留まる。昇降紐14は解放され、展開される。
【０１１２】
(E)、(F)、(G)、(H)は、断面形状を変えた雨よけ片11を示す。(E)は円弧状にゆるく曲げたもの、(F)は(E)の格納時の重なった状態を示すもの、(G)は波型に折り曲げを繰り返したもの、(H)は(G)の格納時の重なった状態を示すものである。
【０１１３】
その他は、実施例6のものと同じである。
【０１１４】
実施例7の雨よけ具は、実施例6のものの効果の他に、昇降紐保持・解放装置187、188の構成が簡単であるという効果がある。
【実施例８】
【０１１５】
実施例8を図8に基づいて説明する。図8は,網戸2に取付けた、実施例8の雨よけ具１の展開した状態を示す正面図である。
【０１１６】
実施例8の雨よけ具１は、横幅を網戸2の横幅よりも狭くしたものである。その他は実施例１のものと同じである。
【０１１７】
実施例8の雨よけ具１は、横幅が狭いので、降雨時特に風が強いとき等に、窓を少しあけておくのに便利である。降雨時には、窓を全部開けたままにせず、少し開けた状態にすることが多い。特に、風があるときとか風が強いときに、こうすることが多い。窓を全開しないなら、雨よけ具１の横幅は窓の横幅と同じにする必要はない。
【０１１８】
実施例8の雨よけ具１は、横幅が狭いので、窓に雨よけ具１のない部分が広く、それだけ外界がよく見える。製造コストも安い。小型なので、流通・在庫のコストも安い。横幅が狭いだけ軽いので、網戸2その他への取付けも容易であるという効果がある。
【実施例９】
【０１１９】
実施例9を図9に基づいて説明する。図9の(A)は網戸2に実施例9の網戸取付具３を取付けた部分斜視図(図1の(B)と同じ)、(B)は(A)のA-A線断面図、(C)は他の網戸取付具３を示す斜視図、(D)は別の網戸取付具３を示す斜視図、(E)は雨よけ具１の基板12の１例に別の形をした網戸取付具３を取付けた所を示す断面図である。
【０１２０】
実施例9は、雨よけ具１を網戸2に取付けるための網戸取付具３である。(A)に示すように、網戸2の横枠22に形成された溝221の外側の壁に、網戸取付具３の引掛部31をはめて、取付ける。(B)に示す通りである。この網戸取付具３の雨よけ具取付部32に雨よけ具１の基板12をはめて、取付ける。雨よけ具取付部32の幅は、基板12の幅に合わせる。
【０１２１】
既存の網戸2の溝221の壁は、約1mmの板状である。引掛部31は、断面が薄い逆U字型で、先端を少し外側に曲げておくと、はめ易い。
【０１２２】
(C)に示すように、雨よけ具取付部32には、基板12を締付けるネジ321を付けてもよい。基板12の幅よりも少し大きめに作った場合によい。又、(D)に示すように、雨よけ具取付部32の向きを上下逆にしてもよい。基板12が落下しないようにネジ321を付ける。(E)に示すように、断面がコの字型の両先端が少し内側に折り曲げてある金属板製の基板12の折曲部に、断面が薄いU字型をした雨よけ具取付部32をはめて、取付けてもよい。この場合、引掛部31は、逆L字型の縦部分と基板12とで形成される。
【０１２３】
網戸取付具３は、網戸2特に既存の網戸2に、簡単に雨よけ具１を取付けることができるという効果がある。雨よけ具取付部32を既存の窓用ブラインドの基板の大きさに合わせたものは、窓用のブラインドを網戸2に取付けることができるという効果がある。
【実施例１０】
【０１２４】
実施例10を図10に基づいて説明する。図10の(A)は雨戸4の鴨居41の外側に実施例10の鴨居取付具5を取付けたところを示す断面斜視図、(B)は(A)の鴨居取付具5の雨よけ具取付部51に雨よけ具１の基板12をはめた所を示す断面図、(C)は他の鴨居取付具5を取付けた所を示す断面斜視図、(D)は別の鴨居取付具5を取付けた所を示す断面図、(E)は別の鴨居取付具5を取付けた所を示す断面図、(F)は(E)の取付け過程を示す断面図、(G)は別の鴨居取付具5を取付けた所を示す断面図である。
【０１２５】
実施例10は、雨よけ具１を雨戸4の鴨居４1の外側に雨よけ具１を取付けるための鴨居取付具5に関する。(A)に示すように、鴨居41の外壁部411と鴨居取付具5の垂直部53の内側とを合せ、ここに下部から、断面が薄いU字型をした合せ片54をはめて密着させ、取付ける。上部にある荷重支持部52が、鴨居４1の水平部にかかっているので、鴨居取付具5 は下がらない。(B)に示す通り、雨よけ具取付部51に雨よけ具１の基板12をはめて取付ける。雨よけ具取付部51は、基板12の大きさに合せておく。
【０１２６】
(C)に示すのは、他の鴨居取付具5で、雨よけ具取付部51は中央部にあり、垂直部53の両脇は平板状で残っているものである。この両脇の垂直部53と外壁部411とに合せ片54をはめて、雨戸の鴨居４1に取付ける。図面では、合せ片５４の厚みを厚く画いているが、実際は合せ片５４の厚みは薄いので、基板12をはめるときには、邪魔にならない。
【０１２７】
(D)に示すのは、別の鴨居取付具5で、雨よけ具取付部51の向きが逆になっていて、基板12を取付けるための取付ネジ511を設け、垂直部53と鴨居４1の外壁部411とを粘着剤541で取付けるものである。粘着剤541は、両面粘着テープを使用してもよい。又は、粘着剤541の代りに、接着剤を使用してもよい。
【０１２８】
(E)に示すのは、別の鴨居取付具5で、垂直部53と鴨居41との密着手段として、垂直部53の下部を深く(長く)折り曲げて、折曲部55としたものである。折曲部55を鴨居41の外壁部411の下部にはめて、鴨居41と密着させる。取付け方は、折曲部55に鴨居41の外壁部411の先端部を挿入し、押し込んでいくと、折曲部55は弾性により、(F)のように広がる。もう少し押し込むと、荷重支持部52 が鴨居41の上部にかかり、(E)のようになる。折曲部55の弾性で、鴨居41の外壁部411を挟みつけて密着する。なお、折曲部55の底と鴨居41の下部との間には、余裕(空間)があってもよい。折曲部55の弾性により、鴨居41の下部をしっかり挟んでおり、保持力は十分あるし、鴨居取付具5を取付けるときは、余裕がある方が取付け易い。
【０１２９】
(G)すものは、別の鴨居取付具5で、上記(E)の折曲部55が浅い(短い)ものである。折曲部55が浅くても、鴨居41の外壁部411との密着力は、十分あり、鴨居４への取付け作業は、容易になる。材質は、金属、プラスチックのどちらでもよい。
【０１３０】
使い方は、雨戸4の鴨居41に、鴨居取付具5を上記で種々説明したようにして取付け、雨よけ具取付部51に雨よけ具１の基板12をはめる。このようにして、雨戸の鴨居41の外側に、雨よけ具１を取付けることができる。
【０１３１】
網戸2の外側には、雨戸4がはめてある場合がある。網戸2と雨戸4との間の隙間は狭く、雨よけ具１は、入らない。通常は雨戸4を使用せず、長期留守をするときや台風のときしか雨戸4を使用しない場合は、上記の諸方法で、網戸2の外側に雨よけ具１を取付けて使用し、時たま雨戸4を使用するときには、雨よけ具１を取り外せばよいが、雨戸4を頻繁に使用する場合は、網戸2に雨よけ具１を取付ける訳には行かない。このような場合には、雨戸4が使用できるように、雨戸4の外側に雨よけ具１を取付けねばならない。そのため、雨戸4の鴨居41の外側に取付けるものを考えた。格納・展開可能の雨よけ具１なら、格納しておけば、取付けたままでも邪魔にならない。雨よけ具１と網戸2との間隔が大きくても、雨の進入防止効果は変わらない。
【０１３２】
実施例10の鴨居取付具5は、雨戸4の鴨居41に簡単に取付けることができ、雨よけ具１を容易に取付けできるという効果がある。雨戸4があり、網戸2に雨よけ具１を取付けると都合の悪い場合でも、雨戸4の鴨居41の外側に雨よけ具１を取付けられ、格納型の雨よけ具１であれば、取付けたままにしておけるという効果がある。使い方が簡単で、構造が簡単で安価に製造できるという効果がある。
【実施例１１】
【０１３３】
実施例11を図11に基づいて説明する。図11の(A)は雨戸の鴨居41の外側に実施例11の鴨居取付補助具6を取付けた所を示す断面斜視図、(B)は(A)の鴨居取付補助具6の受け片61に雨よけ具１の網戸取付片16を取付けた所を示す断面図、(C)は鴨居取付補助具6の他の使用例を示す断面図、(D)は別の鴨居取付補助具6を示す断面斜視図、(E)は別の鴨居取付補助具6 を示す断面斜視図、(F)、(G)、(H)は別の鴨居取付補助具6を示す断面図である。
【０１３４】
実施例11は、雨よけ具１を雨戸の鴨居4の外側に取付けるための鴨居取付補助具6に関する。補助具としたのは、網戸取付片16付きの雨よけ具１を除き、普通の雨よけ具１は取付できず、網戸取付具3の引掛部31等が必要なためである。(A)に示すように、雨戸４の鴨居41の外側に、鴨居取付補助具6の内側を合せ、ここに下部から、断面が薄いU字型をした合せ片64をはめて、取付ける。(B)に示すように、鴨居取付補助具6の受け片61に実施例2で説明した雨よけ具１の網戸取付片16を掛けて、雨よけ具１を取付ける。
【０１３５】
(C)に示すように、鴨居取付補助具6の受け片61に、実施例1で説明した網戸取付具3の引掛部31を掛けて取付け、雨よけ具取付部32に雨よけ具１の基板12をはめて取付ける。
【０１３６】
(D)に示すように、受け片61を中央部に付け、その両脇は、垂直部63にして、ここに断面形状が薄いU字型をした合せ片64をはめて、鴨居41に取付ける。
【０１３７】
(E)に示すように、受け片61を両脇に2個形成して、その中間の垂直部63に合せ片64をはめてもよい。
【０１３８】
(F)に示すように、雨戸4の鴨居41の外壁部411の外側と鴨居取付補助具6の垂直部63の内側とを粘着剤(両面粘着テープを含む)641により取付けてもよい。粘着剤641の代りに、接着剤を用いてもよい。
【０１３９】
(G)に示すのは、別の鴨居取付補助具6で、垂直部63と鴨居41との密着手段として、垂直部63の下部を深く(長く)折り曲げて、折曲部65としたものである。折曲部65を鴨居41の外壁部411の下部にはめて、鴨居41と密着させる。取付け方は、折曲部65に鴨居４の外壁部411の先端部を挿入し、実施例10のものと同様に押し込む。折曲部65の弾性で、鴨居41の外壁部411を挟みつけて密着する。なお、折曲部65の底と鴨居４の外壁部411の下部との間には、余裕(空間)があってもよい。折曲部65の弾性により、鴨居41の外壁部411の下部をしっかり挟んでおり、保持力は十分あるし、鴨居取付補助具6を取付けるときは、余裕がある方が取付け易い。
【０１４０】
(H)に示すものは、別の鴨居取付補助具6で、上記(G)の折曲部65が浅い(短い)ものである。折曲部65が浅くても、鴨居41の外壁部411との密着力は、十分あり、鴨居41への取付け作業は、容易になる。材質は、金属、プラスチックのどちらでもよい。
【０１４１】
実施例11の鴨居取付補助具6は、雨戸4がある場合でも、雨よけ具１を雨戸4の鴨居41に簡単に取付けでき、網戸取付片16付きの雨よけ具１はそのままで、網戸取付片16のない雨よけ具１は網戸取付具3と併用して、使用できるという効果がある。特に、網戸取付片16付きの雨よけ具１と実施例11の鴨居取付補助具6とをセットで販売すれば、少しの費用で、網戸2と雨戸４の鴨居41との両方に取付できるという効果がある。鴨居取付補助具6は、使い方が簡単で、構造が簡単で安価に製造できるという効果がある。
【実施例１２】
【０１４２】
実施12を図12に基づいて説明する。図12の(A)は雨戸4のない窓の上にある庇7の下面に、実施例12の庇取付具8を取付けた所を示す側面図、(B)は雨戸4のある窓の上にある庇7の下面に庇取付具8を取付けた所を示す側面図、(C)は庇取付具8を示す斜視図である。
【０１４３】
実施例12は、雨よけ具１を庇7の下面に取付けるための庇取付具8に関する。窓のすぐ上に庇7が付いている場合がある。(A)に示すのは、雨戸4がない場合で、網戸2の外側に雨よけ具１が来るように、庇7の下面に庇取付具8を取付ける。
【０１４４】
(B)に示すのは、雨戸4が付いた場合で、(A)と同様に、雨戸4の外側に雨よけ具１が来るよう庇7の下面に庇取付具8を取付ける。上記は、説明を簡単にするため、庇取付具8を取付けるとしたが、実際は、雨よけ具１をはめた庇取付具8を取付ける。
【０１４５】
庇取付具8は、断面コの字型の雨よけ具支持部81に雨よけ具１の基板12を入れて、庇7の下面の所定の位置に取付部82を当て、ネジ孔821をネジ止めして取付ける。
【０１４６】
格納・展開可能な雨よけ具１は、庇7の下面に取付けたままにしておいても、格納しておけば、邪魔にならない。
【０１４７】
実施例12の庇取付具8は、構造簡単で安価に製造でき、取付も簡単で、庇7の下面に雨よけ具１を取付けできるという効果がある。
【産業上の利用可能性】
【０１４８】
雨よけ具１は、網戸2の外側に取付けて、雨の進入を防止し、通風を図りたい場合に利用できる。
【図面の簡単な説明】
【０１４９】
【図１】実施例１の雨よけ具を示す斜視図及び側面図である。
【図２】実施例2の雨よけ具を示す斜視図及び側面図である。
【図３】実施例3の雨よけ具を示す斜視図、側面図及び平面図である。
【図４】実施例4の雨よけ具を示す斜視図、正面図及び側面図である。
【図５】実施例5の雨よけ具を示す正面図、側面図、平面図、斜視図及び断面斜視図である。
【図６】実施例6の雨よけ具を示す正面図、説明図及び側面図である。
【図７】実施例7の雨よけ具を示す正面図、説明図及び側面図である。
【図８】実施例8の雨よけ具を示す正面図である。
【図９】実施例9の網戸取付具を示す斜視図、断面図である。
【図１０】実施例10の鴨居取付具を示す断面斜視図及び断面図である。
【図１１】実施例11の鴨居取付補助具を示す断面斜視図及び断面図である。
【図１２】実施例12の庇取付具を示す側面図及び斜視図である。
【符号の説明】
【０１５０】
通風雨よけ具
11    雨よけ片
111  吊紐孔
112  昇降紐孔
12    基板
121  昇降紐孔
122  調整紐孔
123  挿入孔
13    吊紐
131  保持紐
14    昇降紐
141  昇降紐止具
15    重り
16    網戸取付片
17    庇取付片
171  ネジ孔
18    保持片
181  輪
182  バネ
183  連動紐
184  支点棒
185  引張棒
186  昇降紐保持・解放装置
186a  固定片
186b  押え片
186c  圧迫片
186d  連結紐
186e  受け片
187  昇降紐保持・解放装置
187a  固定片
187b  押え片
188  昇降紐保持・解放装置
188a  回転リング
188b  可動歯車
188c  落下防止片
19    傾斜調整紐
191    コブ
192    連動軸
193    円板
2    網戸
21    網
22    横枠
221  溝
23    縦枠
3    網戸取付具
31    引掛部
32    雨よけ具取付部
321  ネジ
33    基板挿入片
4    雨戸
41    鴨居
411  外壁部
49    引戸
5    鴨居取付具
51    雨よけ具取付部
511  取付ネジ
52    荷重支持部
53    垂直部
54    合せ片
541  粘着剤
55    折曲部
6    鴨居取付補助具
61    受け片
62    荷重支持部
63    垂直部
64    合せ片
641  粘着剤
65    折曲部
7    庇
8    庇取付具
81    雨よけ具支持部
82    取付部
821  ネジ孔
【図１】
2005325585.tif 000003
【図２】
2005325585.tif 000004
【図３】
2005325585.tif 000005
【図４】
2005325585.tif 000006
【図５】
2005325585.tif 000007
【図６】
2005325585.tif 000008
【図７】
2005325585.tif 000009
【図８】
2005325585.tif 000010
【図９】
2005325585.tif 000011
【図１０】
2005325585.tif 000012
【図１１】
2005325585.tif 000013
【図１２】
2005325585.tif 000014